(57)【特許請求の範囲】
【請求項１】
ハウジングと、
該ハウジングに内蔵されたモータと、
該モータにより駆動されて加工部材を切断する切断刃と、
該ハウジングに設けられて該切断刃の外周の略半分を覆うソーカバーと、
該ソーカバーに設けられた照明装置と、を備え、
該照明装置は該切断刃の一側面側から照射光を発する第一照射部と該切断刃の他側面側から照射光を発する第二照射部とを備え、
該第一照射部と該第二照射部とは互いに独立しており、それぞれ切断方向前側の該切断刃の刃先及び該加工部材の切断方向前側の部位を照射することを特徴とする携帯用丸のこ。
【請求項２】
該ハウジングを回動可能に支持すると共に該加工部材に当接する当接面を備えたベースが設けられ、
該ベースには、該切断刃が該当接面から反ソーカバー側に突出する突出量を変更可能な突出量変更機構が設けられ、
該照明装置は、該突出量変更機構による該突出量の変化の前後において、切断方向前側の該切断刃の刃先及び該加工部材の切断方向前側の部位を照射することを特徴とする請求項１に記載の携帯用丸のこ。
【請求項３】
該突出量変更機構は、該ベースにおいて該切断刃の切断方向前側に設けられて該ハウジングと該ソーカバーとを該ベースに対して回動可能に支持して該切断刃が該当接面から反ソーカバー側に突出する突出量を変更する回動支持部と、
該ベースにおいて該切断刃の切断方向後側に設けられ該回動支持部による該ハウジングと該ソーカバーとの該ベースに対する回動を固定又は解除する規制部とから構成され、
該照明装置は、該回動支持部周辺に設けられていることを特徴とする請求項２に記載の携帯用丸のこ。
【請求項４】
該第一照射部と該第二照射部とは、いずれも該切断刃の外周より内方に位置していることを特徴とする請求項１乃至請求項３のいずれか一に記載の携帯用丸のこ。
【請求項５】
該照明装置は、該ソーカバーにおいて、該一側面側から該他側面側に跨って設けられた樹脂ケースより構成され、
該第一照射部と第二照射部とは、該樹脂ケースの該一側面側の端部と該他側面側の端部とにそれぞれ設けられていることを特徴とする請求項１乃至請求項４のいずれか一に記載の携帯用丸のこ。
【請求項６】
該樹脂ケースは、該ソーカバーを挟んで該一側面側に位置する第一ケースと、該他側面側に位置する第二ケースとから構成されていることを特徴とする請求項５に記載の携帯用丸のこ。
【請求項７】
該第一ケースと該第二ケースとは、該切断刃の側面と同一な平面を境界として分割されていることを特徴とする請求項６に記載の携帯用丸のこ。
【請求項８】
該第一照射部と該第二照射部とは、それぞれの光軸が該刃先に向いていることを特徴とする請求項１乃至請求項７のいずれか一に記載の携帯用丸のこ。
【請求項９】
該モータは該切断刃の一側面側に配置され、該第一照射部の光源の個数は該第二照射部の光源の個数より多いことを特徴とする請求項１乃至請求項８のいずれかに記載の携帯用丸のこ。
【発明の詳細な説明】
【技術分野】
【０００１】
本発明は携帯用丸のこに関し、特に照明装置を備えた携帯用丸のこに関する。
【背景技術】
【０００２】
従来から、木材等の加工部材を切断・加工するための切断機を携帯可能とした携帯用丸のこがある。この携帯用丸のこは、主に丸のこ刃と駆動装置であるモータとから構成されているため携帯性に優れ、故に工場内に限らず建設現場等において多用されている。
【０００３】
建設現場等においては、その作業環境、例えば明るさが常に確保されてはいないため、加工部材に罫書きされた切断線の視認性が劣る場合があった。これを克服するために出願人は、特許文献１及び特許文献２に示されるように、照明装置を設けて切断方向に位置する刃先を照らした携帯用丸のこを開示している。
【特許文献１】特開平１１−１７０２０３号公報
【特許文献２】特開２００２−２１０７０３号公報
【発明の開示】
【発明が解決しようとする課題】
【０００４】
特許文献１及び特許文献２に示されている携帯用丸のこにおいては、照明装置があることにより、光量が足りない現場等であっても、加工部材に罫書かれた切断線を視認することができる。しかし、照明装置による照射の方向が一方向のみであるため、光が照射された切断刃による陰影ができ、その結果切断線が見づらい場合があった。また携帯用丸のこでは、通常モータが切断刃の側面方向に突出して設けられるが、このモータが設けられた側では、モータ自体が影となって天井等からの照明を遮断し、切断線が見づらい場合があった。そこで、本発明は、上述した携帯用丸のこを更に改良して、切断線の視認性を向上させると共に切断作業効率が優れた携帯用丸のこを提供することを目的とする。
【課題を解決するための手段】
【０００５】
上記課題を解決するために、本発明はハウジングと、該ハウジングに内蔵されたモータと、該モータにより駆動されて加工部材を切断する切断刃と、該ハウジングに設けられて該切断刃の外周の略半分を覆うソーカバーと、該ソーカバーに設けられた照明装置と、を備え、該照明装置は該切断刃の一側面側から照射光を発する第一照射部と該切断刃の他側面側から照射光を発する第二照射部とを備え、該第一照射部と該第二照射部とは互いに独立しており、それぞれ切断方向前側の該切断刃の刃先及び該加工部材の切断方向前側の部位を照射する携帯用丸のこを提供する。
【０００６】
上記構成の携帯用丸のこにおいて、該ハウジングを回動可能に支持すると共に該加工部材に当接する当接面を備えたベースが設けられ、該ベースには、該切断刃が該当接面から反ソーカバー側に突出する突出量を変更可能な突出量変更機構が設けられ、該照明装置は、該突出量変更機構による該突出量の変化の前後において、切断方向前側の該切断刃の刃先及び該加工部材の切断方向前側の部位を照射することが好ましい。
【０００７】
また該突出量変更機構は、該ベースにおいて該切断刃の切断方向前側に設けられて該ハウジングと該ソーカバーとを該ベースに対して回動可能に支持して該切断刃が該当接面から反ソーカバー側に突出する突出量を変更する回動支持部と、該ベースにおいて該切断刃の切断方向後側に設けられ該回動支持部による該ハウジングと該ソーカバーとの該ベースに対する回動を固定又は解除する規制部とから構成され、該照明装置は、該回動支持部周辺に設けられていることが好ましい。
【０００８】
また該第一照射部と該第二照射部とは、いずれも該切断刃の外周より内方に位置していることが好ましい。
【０００９】
また該照明装置は、該ソーカバーにおいて、該一側面側から該他側面側に跨って設けられた樹脂ケースより構成され、該第一照射部と第二照射部とは、該樹脂ケースの該一側面側の端部と該他側面側の端部とにそれぞれ設けられていることが好ましい。
【００１０】
また該樹脂ケースは、該ソーカバーを挟んで該一側面側に位置する第一ケースと、該他側面側に位置する第二ケースとから構成されていることが好ましく、該第一ケースと該第二ケースとは、該切断刃の側面と同一な平面を境界として分割されていることが好ましい。
【００１１】
また該第一照射部と該第二照射部とは、それぞれの光軸が該刃先に向いていることが好ましい。
【００１２】
また該モータは該切断刃の一側面側に配置され、該第一照射部の光源の個数は該第二照射部の光源の個数より多いことが好ましい。
【発明の効果】
【００１３】
請求項１に記載の携帯用丸のこによれば、照射部が切断刃の一側面側と他側面と側にあり、それぞれから刃先及び加工部材を照射するため切断刃による陰影が形成されることが抑制される。よって切断加工時に、罫書かれた切断線等の視認性を確保することができ、作業効率を向上させることができる。
【００１４】
請求項２及び請求項３に記載の携帯用丸のこによれば、加工部材の厚さに応じて切断刃のベースからの突出量を変化させた場合であっても、切断刃及び加工部材を照射することができる。
【００１５】
請求項４に記載の携帯用丸のこによれば、照明装置をコンパクトに構成することが可能となると共に、切断刃近傍に照射部を配置することができる。よって好適に刃先及び加工部材を照射することができる。
【００１６】
請求項５に記載の携帯用丸のこによれば、照明装置が樹脂ケースより構成されているため、照射部に電気を供給する電線を樹脂ケース内に配線することができる。よって配線された電線が切断等されることが抑制される。また樹脂ケース内に電線が配線されているため、電線がソーカバーとショートすることが抑制される。
【００１７】
請求項６及び請求項７に記載の携帯用丸のこによれば、樹脂ケースが分割されて構成されているため、分割線を鋸刃の位置を指し示すガイドとして利用することができ、作業性を向上させることができる。具体的には、樹脂ケースが切断方向前方位置にあるため、ソーカバー上方から樹脂ケースの分割線とベースの前方部分に位置する木材上の罫書き線の両者を見ながら切断作業を行なうことができる。
【００１８】
請求項８に記載の携帯用丸のこによれば、それぞれの光軸が刃先に向いていることにより、刃先を中心とした刃先周辺を好適に照射することができる。
【００１９】
請求項９に記載の携帯用丸のこによれば、モータ側に位置する第一照射部の光量を第二照射部の光量より大きくすることができる。よって一般的に暗くなる箇所であるモータ側の刃先及びその近傍位置においても、好適に光を照射することができる。
【発明を実施するための最良の形態】
【００２０】
本発明の実施の形態による携帯用切断機について図１乃至図９に基づき説明する。図１に示される携帯用切断機である丸のこ１は、ハウジング２と、丸のこ刃３と、ソーカバー４と、照明装置５と、ベース６とから主に構成されている。
【００２１】
ハウジング２は、図示せぬモータが収容されている収容部２１と、収容部２１と一体のハンドル部２２とから主に構成されている。またハウジング２内には、図示せぬモータに駆動される図示せぬ駆動系が設けられ、この駆動系により丸のこ刃３が回転可能となっている。
【００２２】
図１に示されるように、ハンドル部２２には、モータの駆動を制御するスイッチ２２Ａと、照明装置のＯＮ／ＯＦＦを制御する照明スイッチ２２Ｂとが設けられている。またハウジング２において、ハンドル部２２近傍位置には、照明スイッチ２２Ｂに繋がる図示せぬ電線が照明装置５に連結される箇所となる連結部２１Ａが設けられている。
【００２３】
ハウジング２においてハンドル部２２の反収容部２１側位置には、ソーカバー４が接続されて設けられている。図２に示されるように、ソーカバー４は、ハウジング２と接続されるソーカバー本体部４１と、ソーカバー本体部４１に設けられたセーフティカバー４２とから主に構成されており、丸のこ刃３を保護している。
【００２４】
図２に示されるように、ソーカバー本体部４１は、金属製であって丸のこ刃３の略半分を覆っている。ソーカバー本体部４１の周方向一端側には、後述の回動支持部６２と連結される連結部４１Ａが規定されている。ソーカバー本体部４１において、丸のこ刃３の側面と同一な平面と交わる位置にはリブ４１Ｂが設けられている。周方向他端側には、リブ４１Ｂの延長線上に配置され、後述のリンク６６をソーカバー本体部４１に対して締結・解除可能な規制部４３が設けられている。
【００２５】
ソーカバー本体部４１の円周方向他端側には、セーフティカバー４２がソーカバー本体部４１の外縁に沿って円周方向に回動可能に設けられている。ソーカバー本体部４１とセーフティカバー４２との間には、図示せぬバネが介在しており、ソーカバー本体部４１に対してセーフティカバー４２をソーカバー本体部４１の円周方向であって一端側から他端側へ向かう方向に付勢している。よって切断作業を行っていない状態では、セーフティカバー４２は、丸のこ刃３のソーカバー本体部４１で覆えない部分を他端側から一端側に向かって覆っている。従ってソーカバー本体部４１の一端側と、セーフティカバー４２との間には、丸のこ刃３が露出するところが形成され、この露出する部分が後述の木材Ｗを切断する部分となって、ソーカバー本体部４１の他端側から一端側にむけて丸のこ１は切り進んでいく。よってソーカバー本体部４１の他端側から一端側を切断方向と定義し、ソーカバー本体部４１の一端側を切断方向前側、他端側を切断方向後側と定義する。
【００２６】
図１に示されるように、ベース６は、ベース部材６１と、回動支持部６２と、第一ベベルプレート６４と、第二ベベルプレート６５と調節ガイドとなるリンク６６から主に構成され、ソーカバー４に関係してハウジング２と丸のこ刃３とソーカバー４とを回動及び傾動可能に支持している。ベース部材６１は、ベース６の主構成材であり金属製であって略長方形の板材より構成されている。ベース部材６１は長手方向が切断方向と一致するように配置され、その表面には長手方向に延びる長孔状の開口部６ａが形成されている。この開口部６ａに丸のこ刃３及びセーフティカバー４２が入るように、ベース部材６１が構成されている。
【００２７】
図１及び図２に示されるように、ベース部材６１において、開口部６ａの切断方向前側位置には、第一ベベルプレート６４と、回動支持部６２とが設けられている。図３に示されるように、第一ベベルプレート６４は、ベース部材６１上において切断方向と略直交する短手方向に直立して配設されており、切断方向に延びる第一傾動軸部６４Ａを備えている。また第一ベベルプレート６４には、傾動軸部６４Ａを中心とし、傾動軸部６４Ａの軸方向と直交する円弧状の長孔６４ａが形成されている。
【００２８】
図１に示されるように、回動支持部６２は傾動軸部６４Ａにより傾動可能に軸支されている。回動支持部６２は切断方向後側に延出される一対の腕部を備え、その腕部には、切断方向と直交する方向を軸方向とする回動軸部６２Ａが設けられている。この回動軸部６２Ａではソーカバー本体部４１の切断方向前側に位置する連結部４１Ａが軸支されている。
【００２９】
また回動支持部６２には、第一ベベルプレート６４の長孔６４ａを貫通し回動支持部６２に形成された図示せぬネジ穴に螺合するネジ６２Ｂが設けられている。このネジ６２Ｂを締め込むことにより、第一ベベルプレート６４に対する回動支持部６２の傾動角度を任意の角度で固定することができる。
【００３０】
図１及び図２に示されるように、ベース部材６１において、開口部６ａの切断方向後側位置には、第二ベベルプレート６５とリンク６６とが設けられている。第二ベベルプレート６５は、第一ベベルプレート６４と開口部６ａを挟んで略対称な形状に構成されており、図示せぬ円弧状の長孔が形成されている。また第一傾動軸部６４Ａの軸方向延長線上には、リンク６６を軸支する図示せぬ第二傾動軸部が設けられている。また図示せぬ長孔を貫通してネジ部６５Ａが設けられている。ネジ部６５Ａにより、第二ベベルプレート６５に対するリンク６６の傾動角度を任意の角度で固定することができる。
【００３１】
また図１に示されるように、ベース部材６１の切断方向前側最先端位置であって、丸のこ刃３を含む平面が交わる位置には、切断位置を示す示唆部６７が設けられており、ベース部材６１の第一ベベルプレート６４等が設けられている面の反対面には、加工部材に当接する当接面６１Ａが規定されている。
【００３２】
図１に示されるように、照明装置５は、ソーカバー本体部４１の切断方向前側位置であって回動支持部６２近傍位置に設けられている。照明装置５は樹脂ケースである第一ケース５１及び第二ケース５２とから主に構成されている。第一ケース５１は、図１に示されるようにリブ４１Ｂを一端側としてハウジング２側にソーカバー本体部４１に沿って設けられ、図３に示されるように、他端が丸のこ刃３の外周より内方に位置している。第二ケース５２もリブ４１Ｂを一端側として反ハウジング２側にソーカバー本体部４１に沿って設けられ、図２に示されるように、他端が丸のこ刃３の外周より内方に位置している。よってリブ４１Ｂが第一ケース５１と第二ケース５２との境界位置となる。このような構成にすることにより、照明装置５をコンパクトに構成することが可能となる、また図３に示されるように、第一ケース５１の他端側には、連結部２１Ａに接続される接続部５１Ａが設けられており、ハウジング２内に配線された図示せぬ電線と、図４に示される第一ケース５１内及び第二ケース５２内に配線される電線５５と継線されている。電線５５は樹脂ケース内に配線されているため外部に露出することが無く、故に切断やソーカバーとのショート等から保護されている。
【００３３】
図２乃至図４に示されるように、照明装置５において、第一ケース５１の他端部分と第二ケース５２の他端部分には、それぞれ第一照射部５３と第二照射部５４とが設けられている。第一照射部５３は、二個のＬＥＤを光源として構成されており、第２照射部５３は一個のＬＥＤを光源として構成されている。よってハウジング２側に位置する第一照射部５３の光量を第二照射部５４の光量より大きくすることができる。これにより一般的に暗くなる箇所であるハウジング２側の刃先及びその近傍位置においても、好適に光を照射することができる。
【００３４】
また図５に示されるように、第一照射部５３及び第二照射部５４の光軸Ｓ１、Ｓ２は、丸のこ刃３の刃先に向いている。よって図２、図３、及び図５に示されるように、丸のこ刃３において、第一照射部５３及び第二照射部５４は、丸のこ刃３の切断方向前側の部位でありベース底面６１Ａの延長面に位置し、かつ開口部６ａ（図８）内の木材Ｗを好適に照射する。このような構成によると、図８に示されるように、第一照射部５３と第二照射部５４との光軸Ｓ１、Ｓ２が丸のこ刃３の切断方向前方部分で交差するため、丸のこ刃３による陰影が形成されることが抑制され、切断加工時に罫書かれた切断線等の視認性を確保することができ、作業効率を向上させることができる。
【００３５】
照明装置５をソーカバー本体部４１に取り付けるには、ハウジング２とソーカバー本体部４１とが接合された状態で、図６に示されるように、先ず第一ケース５１をネジ等によりソーカバー本体部４１に取り付ける。その後に第二ケース５２を同じくネジ等によりソーカバー本体部４１に取り付ける。照明装置５を構成する樹脂ケースは、丸のこ刃３の側面と同一平面に位置するリブ４１Ｂを境界として第一ケース５１と第二ケース５２とに分割されているため、リブ４１Ｂ回避して容易に取り付けることができ、樹脂ケースをソーカバー本体部４１に取り付ける際の取付性が向上する。
【００３６】
木材Ｗの厚さに応じて丸のこ刃３のベース６からの突出量を変化させるべく、ソーカバー４をベース６に対して回動した場合には、照明装置５も一緒に回動するため、その光軸がずれることになる。しかし照明装置５は、回動支持部６２近傍位置に設けられているため、その光軸のずれは小さい。故に図９に示されるように、丸のこ刃３の突出量を変化させた場合であっても、丸のこ刃３及び木材Ｗを照明装置５で好適に照射することができる。
【図面の簡単な説明】
【００３７】
【図１】本発明の実施の形態に係る携帯用丸のこの斜視図。
【図２】本発明の実施の形態に係る携帯用丸のこの反ハウジング側の側面図。
【図３】本発明の実施の形態に係る携帯用丸のこのハウジング側の側面図。
【図４】図３のIV−IV線に沿った断面詳細図。
【図５】図３のV−V線に沿った断面詳細図。
【図６】本発明の実施の形態に係る携帯用丸のこの照明装置の取り付け手順を示す図。
【図７】本発明の実施の形態に係る携帯用丸のこの照明装置の取り付けた状態を示す図。
【図８】本発明の実施の形態に係る携帯用丸のこの加工部材を切断する状態を示した斜視図。
【図９】本発明の実施の形態に係る携帯用丸のこの切断刃の突出量を変化させた状態を示す反ハウジング側の側面図。
【符号の説明】
【００３８】
１・・丸のこ  ２・・ハウジング  ３・・丸のこ刃  ４・・ソーカバー  ５・・照明装置
６・・ベース  ６ａ・・開口部  １１・・特開平  ２１・・収容部  ２１Ａ・・連結部
２２・・ハンドル部  ２２Ａ・・スイッチ  ２２Ｂ・・照明スイッチ
４１・・ソーカバー本体部  ４１Ａ・・連結部  ４１Ｂ・・リブ
４２・・セーフティカバー  ４３・・規制部  ５１・・第一ケース  ５１Ａ・・接続部
５２・・第二ケース  ５３・・第一照射部  ５４・・第二照射部  ５５・・電線
６１・・ベース部材  ６１Ａ・・当接面  ６２Ｂ・・ネジ  ６２・・回動支持部
６２Ａ・・回動軸部  ６４・・第一ベベルプレート  ６４Ａ・・第一傾動軸部
６４ａ・・長孔  ６５・・第二ベベルプレート  ６５Ａ・・ガイド  ６５Ａ・・ネジ部  
６６・・リンク  ６７・・示唆部
【図１】
0004656420.tif 000002
【図２】
0004656420.tif 000003
【図３】
0004656420.tif 000004
【図４】
0004656420.tif 000005
【図５】
0004656420.tif 000006
【図６】
0004656420.tif 000007
【図７】
0004656420.tif 000008
【図８】
0004656420.tif 000009
【図９】
0004656420.tif 000010